(57)【要約】【課題】  少なくとも記録トラックの一方の側壁のみがウォブルされてアドレス情報が記録されるディスク状記録媒体において、隣接記録トラックとのクロストークに対しても良好なアドレス検出精度が得られるようにする。【解決手段】  例えばＡＤＩＰデータをバイフェーズ変調後ＦＭ変調したＦＭ変調信号について、１トラックをデータビット単位で完結し、且つ隣接するトラック間ではｓｙｎｃどうしが隣り合わないようにする。  これによると隣接するトラック間ではウォブルの波数が同数となり、隣接するトラック間でウォブルの位相が逆相とはならないようにすることができる。これによってクロストークに対しても良好なアドレス検出精度を維持することができる。【選択図】  図６
2005259313.tif 000002
【特許請求の範囲】
【請求項１】
記録トラックの少なくとも一方の側壁に対して所要のコード変調処理が施された信号に基づくウォブルが形成されていると共に、各隣接する上記記録トラック間では、上記ウォブルの波数が同数とされていることを特徴とするディスク状記録媒体。
【請求項２】
上記ウォブルは、所要のデータに対してバイフェーズ変調処理とＦＭ変調処理とを施した信号に基づいて形成されており、
上記記録トラックの１周が上記データの１ビット単位で完結するようにされていることにより、各隣接する上記記録トラック間で上記ウォブルの波数が同数となるようにされている請求項１に記載のディスク状記録媒体。
【請求項３】
上記ウォブルは、所定間隔でフレーム同期信号が挿入される上記データに対してバイフェーズ変調処理とＦＭ変調処理とを施した信号に基づいて形成されており、
上記記録トラックの１周が上記データの１ビット単位で完結するようにされ、且つ各隣接する上記記録トラック間で上記フレーム同期信号区間どうしが隣り合わないようにされていることにより、各隣接する上記記録トラック間で上記ウォブルの波数が同数となるようにされている請求項１に記載のディスク状記録媒体。
【請求項４】
ディスク原盤を回転駆動する回転手段と、
入力データに対して所要のコード変調処理を施して変調信号を生成する信号生成手段と、
上記信号生成手段により生成された上記変調信号に基づき、入力されるレーザ光の光軸を所定方向に変位させる光変調手段と、
上記光変調手段により変調された上記レーザ光を上記回転手段により回転駆動されるディスク原盤に対して照射することで、上記変調信号を、上記ディスク原盤上に形成される記録トラックの少なくとも一方の側壁に対して記録するようにされた記録手段と、
上記変調信号の信号周波数と上記ディスク原盤の回転速度として、上記変調信号の波数を各隣接する上記記録トラック間で同数とすることのできる値が設定されるように、上記信号生成手段と上記回転駆動手段とを制御する制御手段と、
を備えることを特徴とするマスタリング装置。
【請求項５】
上記信号生成手段は、
上記入力データに対してバイフェーズ変調処理とＦＭ変調処理とを施して上記変調信号を生成するようにされ、
上記制御手段は、
上記信号周波数上記回転速度の値として、上記記録トラックの１周を上記入力データの１ビット単位で完結することのできる値が設定されるように制御を行う、
ことを特徴とする請求項４に記載のマスタリング装置。
【請求項６】
上記信号生成手段は、所定間隔でフレーム同期信号が挿入される上記入力データに対してバイフェーズ変調処理とＦＭ変調処理とを施して上記変調信号を生成するようにされ、
上記制御手段は、
上記信号周波数と上記回転速度の値として、上記記録トラックの１周を上記入力データの１ビット単位で完結し、且つ各隣接する上記記録トラック間で上記フレーム同期信号区間どうしが隣り合わないようにすることのできる値が設定されるように制御を行う、
ことを特徴とする請求項４に記載のマスタリング装置。
【請求項７】
回転駆動されるディスク原盤に対してレーザ光を照射して記録トラックを形成すると共に、このディスク原盤に基づいてディスク状記録媒体を製造するディスク製造方法として、
入力データに対して所要のコード変調処理を施して生成される変調信号の信号周波数と、上記ディスク原盤の回転速度として、上記ディスク原盤に対して記録されるべき上記変調信号の波数を各隣接する上記記録トラック間で同数とすることのできる値が設定されるように制御を行う制御手順と、
上記変調信号に基づき、入力されるレーザ光の光軸を所定方向に変位させる光変調手順と、
上記光変調手順により変調した上記レーザ光を上記ディスク原盤に対して照射することによって、上記変調信号を上記記録トラックの少なくとも一方の側壁に対して記録する記録手順と、
を実行することを特徴とするディスク製造方法。
【発明の詳細な説明】
【技術分野】
【０００１】
本発明は、記録トラックがウォブルされて所要のデータが記録されるディスク状記録媒体、及びマスタリング装置とディスク製造方法とに関するものである。
【背景技術】
【０００２】
【特許文献１】特開平５−３１４５３８号公報
【０００３】
光ディスクメディアでは、例えばＭＤ（Mini Disc：光磁気ディスク）等に代表されるように、記録トラックの側壁をディスク半径方向に蛇行（ウォブル）させることによってアドレス情報等の所要の情報を書き込むようにされたものがある。
このように、記録トラックをウォブルさせて情報を記録する手法は、例えば磁界変調によって記録されたマーク等による通常のデータ領域に対し、付加データを重畳する形で記録できるので、その分記録効率の向上を図ることができるものとして従来から採用されている。また、このようなウォブルに基づいて得られる周波数情報を利用すれば、データの記録時においてもディスクの回転情報を得ることができるというメリットもある。
【０００４】
記録トラックをウォブルさせて情報を記録するようにされた光ディスクメディアの一般的な例としては、例えば図１０（ａ）に示すように、記録トラックの両側の側壁をウォブルさせたものがある。
この図１０（ａ）に示される例では、記録トラックとしての図示するグルーブ（groove）に対してのみデータを書き込むようにされる。したがって、この場合のレーザスポットはグルーブのみをトレースするようにされ、記録トラックの両壁に形成されるグルーブとしては同じパターンを有するようにされる。
【０００５】
これに対し近年の光ディスクメディアにおいては、トラック密度の向上を図るため、グルーブだけでなくランドに対してもデータ記録を行うようにされた、所謂ランド・グルーブ記録方式を採るものがある。すなわち、本来はトラック間のガードバンドとしての役割を果たすランド部分に対してもデータを記録することで、記録密度の向上を図るようにされているものである。
【０００６】
但し、このようなランド・グルーブ記録方式において、上記した図１０（ａ）のようにグルーブの両壁をウォブルさせてしまうと、ビームスポットがグルーブ側にあるときはよいとして、ランド側にあるときに隣接する他のトラックのグルーブ側のウォブル情報が混在してしまう。
そこで、特にこのようなランド・グルーブ記録方式を採用する光ディスクメディアでは、次の図１０（ｂ）に示されるようにして、トラックの片側の側壁のみをウォブルさせた所謂片側ウォブル方式を採るものがある（例えば上記特許文献１参照）。
このような片側ウォブル方式では、互いに隣接するグルーブ・ランドの組において、これらの間となるグルーブの側壁のみをウォブルさせ、このウォブルによるアドレス情報をこれらグルーブとランドとで共用するようにされる。つまり、これによって片側のみをウォブルさせることができる。
そして、この際、片側のみがウォブルされているということは、グルーブ側の他方の壁面はストレートとされることから、一方のトラックのランドと隣接する他のトラックのグルーブとの間の壁は常にストレートとすることができる。これによって、これら一方のトラックのランド側と、隣接する他のトラックのグルーブとの間でのアドレス情報の混在が防止されるものである。
【発明の開示】
【発明が解決しようとする課題】
【０００７】
しかしながら、図１０（ｂ）に示したようにして片側ウォブル方式を採用する場合であっても、外乱等の影響でラジアルチルトが生じ、これに伴うコマ収差が生じた場合は、ビームスポット径が図中「Ａ」と示すように変形してしまう可能性がある。すなわち、この場合はチルトの方向によってビームスポットが変形する方向も変化するものとなるが、ディスクの半径方向にビームスポットが変形されてしまった場合は、この「Ａ」と示すようにしてビームスポット内に隣接トラックのウォブルが入り込んでしまう可能性がある。そして、これによって隣接トラックとの間でアドレス情報が混在してしまうものである。
なお、このような問題は図１０（ａ）に示したような両側ウォブル方式のディスクにおいても同様に生じ得るものとなる。
【０００８】
また、特にトラック密度が高密度化されたディスクでは、レーザスポット径に対してトラック幅が狭い条件が設定されたものがある。例えば図１０（ｂ）に示したディスクではトラック幅が比較的狭い条件となるが、この場合は、レーザスポット径のわずかな変化によってもトラック間でのクロストークが生じやすいものとなる。
【０００９】
このようにして隣接するトラック間でクロストークが生じ、各トラックのアドレス情報が混在する可能性があることに対して何ら対策が講じられなければ、アドレス情報の検出精度の低下を招くことになりかねない。
【課題を解決するための手段】
【００１０】
そこで、本発明では以上のような問題点に鑑み、ディスク状記録媒体として以下のようにすることとした。
すなわち、本発明のディスク状記録媒体は、記録トラックの少なくとも一方の側壁に対して所要のコード変調処理が施された信号に基づくウォブルが形成されていると共に、各隣接する上記記録トラック間では、上記ウォブルの波数が同数とされているものである。
【００１１】
上記のようにして、各隣接する記録トラック間でウォブルの波数が同数とされているということは、これら隣接する記録トラック間でウォブルにより記録される各信号の位相が、少なくとも逆相とはならないようにされていることになる。
そして、このように各隣接する記録トラック間においてそれぞれに記録される信号の位相が少なくとも逆相とされなければ、隣接トラックの信号によって読み出し中のトラックの信号が打ち消されて信号レベルが低下してしまうような事態の防止を図ることができる。つまりその分、クロストークの発生に対しても例えばアドレス情報等の情報検出精度の低下を抑制することができるものである。
【００１２】
また、本発明では、マスタリング装置として以下のように構成することとした。
つまり、先ず、ディスク原盤を回転駆動する回転手段と、入力データに対して所要のコード変調処理を施して変調信号を生成する信号生成手段と、上記信号生成手段により生成された上記変調信号に基づき、入力されるレーザ光の光軸を所定方向に変位させる光変調手段とを備える。そして、上記光変調手段により変調された上記レーザ光を上記回転手段により回転駆動されるディスク原盤に対して照射することで、上記変調信号を、上記ディスク原盤上に形成される記録トラックの少なくとも一方の側壁に対して記録するようにされた記録手段を備える。
その上で、上記変調信号の信号周波数と上記ディスク原盤の回転速度として、上記変調信号の波数を各隣接する上記記録トラック間で同数とすることのできる値が設定されるように、上記信号生成手段と上記回転駆動手段とを制御する制御手段を備えるようにした。
【００１３】
さらに本発明では、ディスク製造方法として以下のようにすることとした。
すなわち、回転駆動されるディスク原盤に対してレーザ光を照射して記録トラックを形成すると共に、このディスク原盤に基づいてディスク状記録媒体を製造するディスク製造方法として、先ず、入力データに対して所要のコード変調処理を施して生成される変調信号の信号周波数と、上記ディスク原盤の回転速度として、上記ディスク原盤に対して記録されるべき上記変調信号の波数を各隣接する上記記録トラック間で同数とすることのできる値が設定されるように制御を行う制御手順を実行する。
そして、上記変調信号に基づき、入力されるレーザ光の光軸を所定方向に変位させる光変調手順と、上記光変調手順により変調した上記レーザ光を上記ディスク原盤に対して照射することによって、上記変調信号を上記記録トラックの少なくとも一方の側壁に対して記録する記録手順とを実行するものとした。
【００１４】
このような本発明のマスタリング装置及びディスク製造方法によれば、上記変調信号の波数が各隣接する記録トラック間で同数となるような条件が設定される下で、上記ディスク原盤に対して上記変調信号を記録トラックのウォブルにより記録することができる。
つまりこれによれば、各隣接する記録トラック間で上記変調信号どうしの位相が逆相とならないように、ディスク原盤に対して上記変調信号を記録することができる。
【発明の効果】
【００１５】
上記のようにして本発明のディスク状記録媒体では、記録トラックのウォブルにより記録される信号について、各隣接する記録トラック間では互いの位相が少なくとも逆相とはならないようにされていることにより、クロストークが発生した場合にもアドレス情報等の情報検出精度の低下を従来よりも抑制することができる。これによれば、ラジアルチルト等の外乱に伴うクロストークレベルの上昇に対しても従来より良好な情報検出精度を維持することができ、従ってこのようなラジアルチルトに対してもより広いマージンを得ることができる。
【００１６】
また、クロストークやラジアルチルトに対するマージンが得られるということは、その分、トラックピッチやトラック幅が狭められて高密度記録化が図られた場合にも、従来と同等のアドレス情報検出精度を維持できることになる。従って、このような本発明のディスク状記録媒体によれば更なる高密度記録化を図ることができることにもなる。
【００１７】
また、本発明のマスタリング装置及びディスク製造方法によれば、各隣接する記録トラック間で変調信号どうしの位相が逆相とならないように、ディスク原盤に対して変調信号を記録することができる。そして、このようにして変調信号が記録されたディスク原盤に基づいて本発明のディスク状記録媒体を製造することができる。
【発明を実施するための最良の形態】
【００１８】
以下、発明を実施するための最良の形態のうちの１つの形態（以下、実施の形態とする）について説明していく。
先ず、実施の形態としてのディスク状記録媒体である、ディスク５０について説明していく。
本実施の形態のディスク５０は、磁界変調記録方式により信号の記録再生が行われるＭＤ（Mini Disc：光磁気ディスク）とされる。
このようなＭＤとしてのディスク５０は、記録トラックの側壁がディスク半径方向に蛇行（ウォブル）され、このウォブルによりＡＤＩＰ（ADdress In Pregroove）と呼ばれるディスク上の絶対位置アドレス情報が記録されている。
【００１９】
そして、この場合のディスク５０としては、記録トラックの片側の側壁のみがウォブリングされた、所謂片側ウォブルのディスクとされる。すなわち、先の図１０（ｂ）にて説明したように、グルーブに対して磁界変調記録方式により信号が記録されると共に、各グルーブ間に形成されるランドに対しても同様に信号が記録される。その上で、グルーブにおける片側の側壁のみがウォブルされて、このウォブルにより記録されたアドレス情報をグルーブとランドとで共用するようにされたものである。
【００２０】
ここで、このようなＭＤとしてのディスク５０において、通常の磁界変調記録方式により信号が記録される領域では、図１（ａ）に示すようなクラスタが記録時の最小単位とされている。そして、１クラスタは、図示するように１６セクタから成るようにされている。
【００２１】
また、上記したウォブルにより記録されるＡＤＩＰの情報は、図１（ｂ）に示すようなフレーム構造を有する。
この場合のＡＤＩＰフレームは、４２ｂｉｔのデータビットから成るようにされる。
先ず、図示する「ｓｙｎｃ」はフレーム同期信号であり、この場合は４ｂｉｔが割り与えられている。また、「cluster H」「cluster L」は、クラスタナンバを特定するための情報が格納され、それぞれ８ｂｉｔが割り与えられる。つまり、クラスタナンバは１６ｂｉｔの情報とされる。
また、図示する「sector」は、上記「cluster H」「cluster L」によって特定されるクラスタ内の、セクタナンバを特定するための情報である。セクタナンバの情報は８ｂｉｔにより表される。また、「ＣＲＣ」はエラー検出のための情報であり、この場合は１４ｂｉｔが割り与えられる。
このようなＡＤＩＰとしてのウォブルによる信号は、上記した磁界変調記録方式により信号が記録される領域におけるセクタ単位ごとに重畳して記録されることで、そのセクタが位置するクラスタのナンバとその中でのセクタのナンバを表す情報となる。
【００２２】
さらに、ディスク５０においては、上記のようなＡＤＩＰの情報がＦＭ（Frequency Modulation）変調された信号に基づいてウォブルにより記録されることになるが、このようにＦＭ変調信号に基づくウォブルを形成するにあたっては、上記ＡＤＩＰの情報をバイフェーズ変調するようにされている。
このバイフェーズ変調としては、図２に示されるように、データビット（Data Bit）の１ビットの値を、さらに２値のバイフェーズビット（Bi-phase Bit）により表すようにしたものである。
この場合のバイフェーズ変調では、基本的にデータビットの「０」の値は、２つの同値のバイフェーズビットに変調するようにされる。また、データビットの「１」の値は、２つの異なるバイフェーズビットに変調される。
そして、データビット「０」の値としては、直前のバイフェーズビット値が「０」か「１」かによって、「１」「１」か「０」「０」のバイフェーズビット値に変調されることになる。すなわち、図示するように直前のバイフェーズビット値が「０」であった場合、データビット「０」の値は「１」「１」のバイフェーズビット値に変調される。そして、次のデータビット値も「０」であった場合は、直前のバイフェーズビット値「１」に応じて、「０」「０」のバイフェーズビット値に変調される。
【００２３】
同様に、データビットが「１」の場合も、直前のバイフェーズビット値に応じて「１」「０」か「０」「１」の２値のバイフェーズビットに変調される。つまり、データビット「０」の値に続いてデータビット「１」が入力された場合は、図示するように直前のバイフェーズビット「０」に応じて「１」「０」の２値のバイフェーズビット値に変調される。さらに、続いてデータビット「１」が入力された場合は、直前のバイフェーズビット値「０」に応じて「１」「０」の２値に変調される。
このようなバイフェーズ変調が行われる結果、ディスク５０に対してウォブルとして記録される信号は、基本的には連続する同値が常に２以下となるようにされる。
【００２４】
図３は、このようなバイフェーズ変調が行われた場合の、ＡＤＩＰフレームにおける主にｓｙｎｃ部分の信号波形、バイフェーズビット値、データビット値のそれぞれを示した図である。
先の図１（ｂ）に示したＡＤＩＰフレームにおいて、バイフェーズ変調が行われた場合のｓｙｎｃとしては、実際にはこれら図３（ａ）（ｂ）に示すようなバイフェーズビット値をとることになる。
すなわち、図３（ａ）に示すｓｙｎｃは、直前のバイフェーズビット値が「０」であったときの例であり、この場合のｓｙｎｃは「１１１０１０００」のバイフェーズビット値となる。また、図３（ｂ）は、直前のバイフェーズビット値が「１」であったときの例であり、この場合は「０００１０１１１」の値をとることになる。
【００２５】
つまり、バイフェーズ変調が行われた信号において、このｓｙｎｃ部分のみが唯一同値が３つ連続して得られるものとなり、上記したバイフェーズ変調のルールが破られている部分となる。ディスク５０の記録再生装置側においては、このようにバイフェーズ変調のルールが破られている部分を検出することで、ＡＤＩＰフレーム内のｓｙｎｃ検出を行うことができる。
なお、この場合、ｓｙｎｃ全体としてみた場合は、バイフェーズビット値はそれぞれ「１」と「０」の値が同数となるようにされている。このように「１」「０」の値の数が同数とされている点では、バイフェーズ変調のルールが守られているものである。
【００２６】
ディスク５０においては、このようなバイフェーズ変調の行われた信号に対して、さらにＦＭ変調処理を施した信号に基づきウォブルが形成されることになる。
この場合のＦＭ変調としては、例えばキャリア周波数８４．７ｋHzに対し、入力ビットの値に応じて±３．８４ｋHzの変調をかける。
すなわち、例えば図４に示すようにして、バイフェーズビット「１」の値に対応しては、キャリアに対して＋３．８４ｋHzの変調を施す。また、バイフェーズビット「０」に対応しては、キャリアに対して−３．８４ｋHzの変調を施すものである。
【００２７】
このようなＦＭ変調処理が施されることによって、ディスク５０上の記録トラックの側壁に対して形成される実際のウォブルとしては、バイフェーズビットの値に応じてキャリアに対する位相が前後するようにして形成されていることになる。
【００２８】
そして、この上で本実施の形態のディスク５０では、上記のようにして生成されるＦＭ変調信号に基づくウォブルについて、各隣接する記録トラック間で、それぞれのウォブルの波数が同数となるようにされる。すなわち、各隣接する記録トラック間において、それぞれのウォブルの位相が少なくとも逆相とはならないようにされる。
例えば、それぞれのウォブルの位相が逆相となると、隣接するトラック間でクロストークが発生した場合に、これらのトラックに記録される信号どうしが互いの信号レベルを打ち消し合うことになる。そして、これに伴っては、ＡＤＩＰ情報の検出を適正に行うことが困難となることから、これを防止してアドレス情報検出精度の低下を抑制しようとするものである。
【００２９】
本実施の形態では、このように隣接トラック間でウォブルの位相が少なくとも逆相とはならないようにするにあたり、１トラックを必ずデータビット単位の切れ目で完結するものとしている。
このことについて、以下図５〜図８を用いて説明していく。
【００３０】
図５は、所要のデータビット列に対して先に説明したようなバイフェーズ変調及びＦＭ変調処理が施された場合における、キャリアとＦＭ変調信号との位相関係を模式的に示した図である。
なお、この図５では、例えば先の図４にて例示したようにしてキャリア周波数＝８４．６７２ｋHzに対して±３．８４ｋHzのＦＭ変調が行われることに伴って、１データビットあたり７波、つまり１バイフェーズビットあたり３．５波となるキャリアに対し、±１／６波の変調が行われるものとする。
このような条件によるＦＭ変調が行われる場合において、例えばバイフェーズビットの値が「１」であって−１／６波の変調が施された場合は、ＦＭ変調信号はキャリアに対して６０度分だけ位相が進むことになる。また、逆にバイフェーズビットの値が「０」であって＋１／６波の変調が行われた場合は、ＦＭ変調信号はキャリアに対して６０度分だけ位相が遅れるものとなる。
【００３１】
このことを踏まえた上で、図５に示すようなデータビット列に対するバイフェーズ変調及びＦＭ変調処理が行われた場合を想定してみる。
先ず、この場合のデータビット列「１００」は、例えば図示するようにしてバイフェーズビットについての初期化ビット「０」が設定されたときは、先に説明したバイフェーズ変調ルールに従って「１０」「０１」「００」のバイフェーズビットに変調される。
この際、バイフェーズビット列の最初のビット値と、初期化ビットとの切れ目であるポイントＰ１では、ＦＭ変調信号のキャリアに対する位相状態は図のように０度であるとする。
【００３２】
そして、このようにして得られた、最初のバイフェーズビット「１」に対応するＦＭ変調信号としては、先の説明より、図示するポイントＰ２にてキャリアに対して６０度進むことになる。そして、次のバイフェーズビット「０」に応じては、次のポイントＰ３で６０度遅れてキャリアに対するずれは０度となる。
さらに、次の値「１」に応じてはポイントＰ４にて再び６０度進み、また次の値「１」に応じてはさらに６０度進んでポイントＰ５では位相が１２０度進んでいる状態となる。そして、次の値「０」に応じてはポイントＰ６にて６０度遅れ、さらに次の値「０」によって位相はさらに６０度遅れて、ポイントＰ７での位相ずれは０度となる。
【００３３】
この図５による結果を参照してわかるように、この場合におけるＦＭ変調信号の位相は、キャリアに対して、バイフェーズビットの値の変化に応じて０度から＋１２０度までの範囲内でずれることになる。すなわち、この場合のＦＭ変調信号の位相状態は、０度から＋１２０度の範囲内で変化することになる。
このことは、先の図２にて説明したようにしてこの場合のバイフェーズ変調によっては、同値が連続する回数が２回以下となるようにされていることからも理解できる。
【００３４】
さらに、図５の結果より、この場合におけるＦＭ変調信号の位相状態は、データビット単位での切れ目（Ｐ１、Ｐ３、Ｐ５、Ｐ７）では、必ず０度か＋１２０度ずれた状態となっていることがわかる。つまりこのことは、先の図２及び図５を参照してわかるように、バイフェーズ変調では同一データビット内では同値が２回連続しても、データビットの切れ目では必ずバイフェーズビット値が反転するようにされていることによるものである。
また、さらにこの場合は、１データビット単位内での、バイフェーズビット単位の切れ目（Ｐ２、Ｐ４、Ｐ６）で、ＦＭ変調信号の位相ずれが必ず＋６０度ずれた状態となる。
このことは、上記のようにデータビット単位の切れ目では必ず０度か＋１２０度ずれた状態とされ、さらに上記もしているようにバイフェーズビットとしてはデータビットの切れ目で必ず値が反転するようにされていることによるものである。
【００３５】
なお、ここでは初期化ビットが「０」とされる場合で説明したが、初期化ビットが「１」とされる場合は、図５の場合とはバイフェーズビット値が反転する結果が得られるので、この場合のＦＭ変調信号の位相状態としては、０度から−１２０度の範囲内で変化することになる。従ってデータビット単位での切れ目での位相状態としても、０度か−１２０度ずれとなる。また、データビット単位内でのバイフェーズビットの切れ目における位相ずれは−６０度となる。
つまり結局のところ、初期化ビットが「０」か「１」かに関わらず、データビット単位の切れ目で位相ずれは絶対値的には０度か１２０度となり、また、データビット単位内でのバイフェーズビット単位の切れ目としても絶対値的には６０度のずれとなることにはかわりはない。
【００３６】
上記のようにして、データビット単位の切れ目ではキャリアに対するＦＭ変調信号の位相ずれが必ず０度か１２０度となり、且つデータビット単位内でのバイフェーズビットの切れ目では位相ずれが６０度となることを踏まえた上で、上述したように１トラックをデータビット単位で完結した場合について考察してみる。
図６は、このうように１トラックをデータビット単位で完結した場合における、隣接トラックに記録されるＦＭ変調信号との位相ずれの様子を模式的に示した図である。
先ず、図示するトラック完結部分とは、１トラックの完結部分であり、従ってこのトラック完結部分は同時に次のトラックの開始部分ともなる。
ここで、データビット単位での切れ目では位相ずれが必ず０度か１２０度となることから、図中のｍトラック目のトラック完結部分、すなわち次のｍ＋１トラック目の開始部分において、ｍトラック目とｍ＋１トラック目のＦＭ変調信号の、この部分でのそれぞれの位相状態としては、「０度：０度」「０度：１２０度」「１２０度：０度」「１２０度：１２０度」の組み合わせが得られる。
このことから、ｍトラック目とｍ＋１トラック目での、この部分でのＦＭ変調信号どうしの位相ずれは必ず１２０度以内であることになる。
【００３７】
そして、以降のデータビット単位での切れ目部分においても、ｍトラック目とｍ＋１トラック目とでのＦＭ変調信号どうしの位相状態としては、図示するようにそれぞれ０度か１２０度のずれとなる。このことから、以降もデータビット単位の切れ目部分でのＦＭ変調信号どうしの位相ずれとしては、同様に１２０度以内となる。
さらに、ｍ＋１トラック目とｍ＋２トラック目との関係においても、同様にデータビット単位の切れ目で各ＦＭ変調信号の位相ずれは１２０度以内となり、従って以降の隣接トラック間でもデータビット単位の切れ目部分でのＦＭ変調信号どうしの位相ずれは必ず１２０度以内となることがわかる。
【００３８】
また、データビット単位内でのバイフェーズビット単位の切れ目部分では、先にも述べたようにＦＭ変調信号の位相は６０度ずれの状態となっている。このことから、図からもわかるようにこの部分での各隣接トラック間でのＦＭ変調信号どうしの位相状態は、すべて６０度ずれとなっていることになる。従って、このようなデータビット単位内でのバイフェーズビット単位の切れ目部分では、各隣接トラック間でＦＭ変調信号どうしの位相ずれは生じていないことがわかる。
【００３９】
これらのことから、実施の形態のように１トラックをデータビット単位で完結した場合は、各隣接トラック間でのＦＭ変調信号どうしの位相ずれは、データビット単位の切れ目部分では１２０度以内、データビット単位内のバイフェーズビット単位の切れ目では０度とすることができ、これによって、結果的に各隣接トラック間でのＦＭ変調信号どうしの位相ずれを必ず１２０度以内とすることができるようになる。すなわち、逆相とはならないようにすることができる。
【００４０】
但し、図６に示した例はあくまでＡＤＩＰフレーム中のデータ部分どうしの組み合わせを示したものである。すなわち、ＡＤＩＰフレーム中のｓｙｎｃ部分では、先にも示したようにバイフェーズ変調のルールが唯一破られた区間が存在することになるから、ｓｙｎｃ部分が隣接トラック間で重なる場合には、ＦＭ変調信号どうしの位相状態の組み合わせとしても図６に示した場合とは異なるようにされる。
【００４１】
例えば、同様に１トラックをデータビット単位で完結するものとし、且つｓｙｎｃどうしが隣接する条件を設定した場合について考察してみると、先に説明したようにｓｙｎｃでは、同値のバイフェーズビットが３つ連続する区間があることからもわかるように、ＦＭ変調信号の位相状態としては１８０度進む部分が存在することになる。これによると、各隣トラック間でｓｙｎｃ部分が隣り合う区間では、ＦＭ変調信号どうしの位相ずれとして１８０度のずれが生じる可能性があり、従ってこのようにｓｙｎｃどうしが隣接する条件ではＦＭ変調信号どうしの位相が逆相となる部分が生じ得ることになる。
このことを考慮して、本実施の形態のディスク５０では、１トラックを必ずデータビット単位で完結するとした上で、さらにｓｙｎｃどうしが隣り合わないという条件も設定するものとしている。
【００４２】
ここで、ｓｙｎｃどうしが隣り合わない条件は設定することができるとしても、隣接するトラック間では必ずデータ部分とｓｙｎｃどうしが隣り合う区間が存在することになる。
次の図７では、このように隣接トラック間で一方のトラック側がｓｙｎｃ部分となり、他方のトラック側がｓｙｎｃ以外のデータ部分となる場合の各ＦＭ変調信号の位相状態について考察してみる。
【００４３】
図７において、先ずはｓｙｎｃ部分におけるＦＭ変調信号の位相状態について考察する。なお、この図においては初期化ビットの値は問わす、従って図示される位相ずれの値は絶対値を示しているものとする。
例えば、図示するように直前のバイフェーズビット値「０」に続くｓｙｎｃ部分を想定してみると、この場合のｓｙｎｃ部分のバイフェーズビット値は「１１１０１０００」となる。
そして、直前のバイフェーズビットとこのｓｙｎｃ部分の開始ビットとの切れ目では、ＦＭ変調信号の位相状態は必ず０度とされていることになる。つまり、データビット単位での切れ目では位相ずれは必ず０度か１２０度となる。その上で、この場合は上記のように直前の値が「０」であることから、先の図５による結果を参照してわかるようにここでの位相状態は０度となるものである。
そして、このようにｓｙｎｃの開始部分での位相ずれが０度とされていることにより、以降のバイフェーズビット値「１１１」に応じては、図中に破線で囲うようにＦＭ変調信号の位相状態として１８０度進んでいる部分が生じることになる。また、以降の「０１」のバイフェーズビット値に応じては、再び位相が１８０度進む部分が生じることとなる。
【００４４】
これに対し、このようなｓｙｎｃ部分と隣接することになるデータ部分のＦＭ変調信号の位相状態としては、図示する直前のバイフェーズビットの値に応じて、先にも説明したようにデータビット単位での切れ目では０度か１２０度、バイフェーズビット単位での切れ目では６０度ずれの状態となる。
この場合、図示されるようにｓｙｎｃとデータ部分とでのデータビット単位での切れ目部分どうしでは、位相状態についての組み合わせが「０度：０度」「０度：１２０度」「１２０度：１２０度」となって、この部分での各ＦＭ変調信号の位相ずれは最大でも１２０度となることがわかる。
また、バイフェーズビット単位の切れ目では、「６０度：６０度」「６０度：１８０度」となり、この部分のずれとしても最大で１２０度とすることができる。
従って、直前の値が「０」とされたｓｙｎｃに対しては、データ部分が隣接したとしても、各信号の位相は逆相とはならないようにすることができる。
【００４５】
また、図示は省略したが、ｓｙｎｃ部分の直前のバイフェーズビット値が「１」であった場合は、ｓｙｎｃの開始部分での位相状態は先の０度に対して１２０度となる。そして、なお且つこの場合のｓｙｎｃのバイフェーズビット値としては「０００１０１１１」となるので、このときのｓｙｎｃ部分の信号の位相状態は、各バイフェーズビットの切れ目において「１２０度→６０度→０度→−６０度→０度→−６０度→０度→６０度→１２０度」で変化するものとなる。
これを、図７中に示した隣接するトラックにおけるデータ部分のＦＭ変調信号の位相状態の遷移と比較してわかるように、この場合としても、隣接トラック間でｓｙｎｃとデータ部分が隣り合う部分では、各ＦＭ変調信号の位相は逆相とはならないことになる。
【００４６】
このようにして、一方のトラック側がｓｙｎｃとなる場合であっても、データビット単位で完結するとした実施の形態では、隣接トラック間で各ＦＭ変調信号の位相が逆相とはならないようにすることができる。
すなわち、１トラックをデータビット単位で完結し、且つｓｙｎｃどうしが隣り合わないようにした実施の形態のディスク５０によれば、隣接トラック間で各ＦＭ変調信号の位相が逆相とはならないようにすることができる。
【００４７】
なお、これまでの説明では、キャリア周波数＝８４．６７２ｋHz±３．８４ｋHzの条件によるＦＭ変調処理が行われる場合について例示したが、他の条件でＦＭ変調処理が行われる場合としても、同様に１トラックをデータビット単位の切れ目で完結するようにして位相調整を行うことで、隣接トラック間でＦＭ変調信号どうしの位相が逆相とならないようにすることができる。
【００４８】
図８には、これまでに説明してきた実施の形態のディスク５０についての、対クロストーク特性について説明するための図を示す。
この図８では、所定のトラック（メイントラック）に対して記録された信号（ＡＤＩＰ情報）に対して、隣接トラックからの信号が漏れ込んだ場合での上記メイントラックのＡＤＩＰ情報についての再生エラーレートについて示し、図示する「位相調整あり」は実施の形態のディスク５０についての結果を示し、「位相調整なし」は、ディスク５０のようにデータビット単位で１トラックが完結されず、且つ特にｓｙｎｃどうしが隣接しないようにされていない、従来のディスクの結果を示している。
なお、この図８は、実施の形態のディスク５０の対クロストーク特性について説明するための図として、実際には信号発生器により生成した信号について、以下の条件を設定した上で計測した結果を示すものである。
・ＦＭ変調信号・・・キャリア周波数８５ｋHz、±３ｋHzのＦＭ変調信号（Ｃ／Ｎ＝２８．６ｄＢ：ＲＢＷ３ｋHz）
また、ＦＭ変調信号には３ｂｉｔのＥＣＣ（Error Correct Code）を付加した。
【００４９】
図８において、図中「位相調整なし」の従来のディスクの場合は、クロストークレベルが約−１０ｄＢのときにエラーレートが最大となって、ＡＤＩＰ情報の検出限界となる。これに対し、「位相調整あり」の実施の形態のディスク５０の場合では、図示するようにクロストークレベルが−８ｄＢ付近でアドレス情報検出限界となる。
この結果からも、位相調整により隣接トラック間でＦＭ変調信号どうしの位相が逆相とはならないようにされた実施の形態のディスク５０の方が、従来のディスクと比較して、クロストークに対しより良好なアドレス情報検出精度が維持できることがわかる。
【００５０】
このようにして実施の形態のディスク５０では、１トラックをデータビット単位で完結し、且つ隣接トラック間ではｓｙｎｃどうしが隣り合わないようにしたことで、隣接トラック間でＦＭ変調信号どうしの位相が逆相とならないようにしている。
そして、隣接するＦＭ変調信号どうしの位相が逆相とはならないようにしていることで、隣接するトラックから漏れ込む信号によってメイントラックの信号レベルが打ち消されてしまうようなことが抑制され、その分、クロストークに対してもより良好なアドレス情報検出精度を維持することができる。
【００５１】
また、クロストークに対しても良好なアドレス情報検出精度を維持することが可能となれば、ラジアルチルトによってクロストークレベルが上昇した場合にも従来と同等の検出精度を維持でき、従って、ラジアルチルトに対してもより広いマージンを得ることができる。
【００５２】
また、このようにクロストーク及びラジアルチルトについてのマージンを得ることができれば、その分トラックピッチをより高密度とした場合にも従来と同等の精度によりアドレス情報の検出を行うことができることになる。すなわち、このような実施の形態のディスク５０によれば、トラックピッチをより高密度化して更なる高記録密度化を図ることもできるようになる。
【００５３】
続いて、次の図９には、これまでに説明してきたディスク５０を製造するための、実施の形態としてのマスタリング装置１の構成例を示す。
このマスタリング装置１としては、実施の形態のディスク５０の製造工程における、原盤工程（マスタリングプロセス）を行うための装置である。
ここで、実施の形態のディスク５０のような、ＭＤの製造工程としては、大別すると、上記した原盤工程と、ディスク化工程（レプリケーションプロセス）に分けられる。原盤工程はディスク化工程で用いる金属原盤（スタンパー）を完成するまでのプロセスであり、ディスク化工程はスタンパーを用いて、その複製であるディスクを大量生産するプロセスである。
具体的には、原盤工程は、研磨した硝子基板にフォトレジストを塗布し、この感光膜にレーザビームによる露光を行ってウォブルを形成する、いわゆるマスタリングを行う。
そしてマスタリングが終了すると、現像等の所定の処理を行った後、例えば電鋳によって金属表面上への情報の転送を行ない、ディスクの複製を行う際に必要なスタンパーを作成する。
次に、このスタンパーを用いて例えばインジェクション法等によって、樹脂基板上に情報を転写し、その上に反射膜を生成した後、所定のディスク形態に加工する等の処理を行って最終製品を完成する。
【００５４】
図９において、先ずディスク原盤１０は、図示するスピンドルモーター９により回転駆動される。このスピンドルモーター９は、スピンドルサーボ回路８により回転が制御され、採用される回転制御方式に対応した回転が得られるように駆動制御される。
この場合、スピンドルサーボ回路８にて設定される回転速度は、後述するコントローラ１１によって制御される。
【００５５】
上記ディスク原盤１０に対しては、記録トラックを形成する過程において、その側壁をウォブルさせることによってＡＤＩＰとしての絶対位置アドレス情報を記録するようにされる。
このようなＡＤＩＰとしての絶対位置アドレス情報ＳＡは、図示するアドレス情報信号源２によって出力され、図示する付加変調回路３に供給される。
【００５６】
付加変調回路３は、上記アドレス情報信号源２より供給される絶対位置アドレス情報ＳＡに対して変調処理や必要なデータの付加を行って、ウォブル指令信号ＳＡＷを出力する。
この付加変調回路３では、供給される上記絶対位置アドレス情報に対し、先の図１（ｂ）に示したようなＣＲＣ等の情報を付加してＡＤＩＰフレームとしてのデータを生成する。また、このように各種必要なデータが付加されたデータについてのバイフェーズ変調処理、及びＦＭ変調処理を行う。
そして、これにより得られたＦＭ変調信号を図示するウォブル指令信号ＳＡＷとして光偏向器５に対して出力する。
なお、この付加変調回路３において生成されるＦＭ変調信号のキャリア周波数は、次に説明するようにしてコントローラ１１の制御に基づいて設定される。
【００５７】
コントローラ１１は例えばマイクロコンピュータ等から成り、マスタリング装置１の全体制御を行う。特に、この場合のコントローラ１１は、例えば図示されない操作入力部を介した操作入力等によって入力・指示されたディスク回転速度の情報に基づいて、その値に応じた回転速度が得られるようにスピンドルサーボ回路８に対する制御を行う。
同様に、例えば操作入力等によって入力されたキャリア周波数を指定するための情報に基づいて、その値に応じたキャリア周波数が上記付加変調回路３にて設定されるように制御を行う。
【００５８】
記録用レーザ４は、例えばガスレーザ等から成り、レーザビームＬ１を光偏向器（ＡＯＤ）５に対して射出する。
光偏向器５は電気音響光学素子（Acoustic Optical Deflector）等を備え、記録用レーザ４から入射するレーザビームＬ１の進行方向を、上記した付加変調器３より供給されるウォブル指令信号ＳＡＷに応じて変位させ、レーザビームＬ２として射出する。
【００５９】
また、実施の形態のディスク５０は片側ウォブルであり、これに応じてマスタリング装置１には、図示する補助レーザ１２とビーム混合用光学素子１３とが備えられる。補助レーザ１２としてもガスレーザ等から成るようにされ、レーザビームＬ３をビーム混合用光学素子１３に対して射出する。
ビーム混合用光学素子１３にはレーザビームＬ２とレーザビームＬ３とが入力され、これらレーザビームを混合してこれをミラー６に射出する。
【００６０】
これらレーザビームＬ２とレーザビームＬ３とは、ミラー６によりディスク原盤１０の記録面に対して射出する角度に光路が折り曲げられ、対物レンズ７を透過してディスク原盤１０の記録面上に各々が近接する位置で集光するようにされている。
【００６１】
また、上記ミラー６及び対物レンズ７は、図示しないスレッド機構によりディスク原盤１０の回転に同期してディスク半径方向に順次移動するように構成される。
つまり、上記レーザビームＬ２及びＬ３の集光位置は、ディスク原盤１０の例えば外周方向に順次変移するようにされており、これによりディスク原盤１０に対しては、渦巻き状に記録トラックが形成される。
【００６２】
さらに、この場合のレーザビームＬ２としては、ディスク原盤１０の半径方向に上記ウォブル指令信号ＳＡＷに応じて変位される。その上で、レーザビームＬ３は、このレーザビームＬ２の集光位置と近接する位置で照射されていることから、ディスク原盤１０の記録トラック（グルーブ）に対しては、その一方の側壁にレーザビームＬ２の照射による上記ウォブル指令信号ＳＡＷに応じたウォブルが形成され、そして記録トラックの他方の側壁は、上記レーザビームＬ３の照射によってストレートな形状となる。
【００６３】
また、このとき、予めコントローラ１１に対して、ディスク原盤に形成される記録トラックの１トラックが、ＡＤＩＰ情報のデータビット単位で完結し、且つ各隣接するトラック間でｓｙｎｃ部分が隣り合わないようにすることのできるディスク回転速度とキャリア周波数との情報が入力された下で記録トラックが形成されることで、各隣接する記録トラック間ではウォブルの波数を同数とすることができる。
すなわち、ディスク原盤１０に形成される記録トラックのウォブルとして、各隣接するトラック間でウォブルどうしの位相が逆相とはならないようにすることができるものである。
【００６４】
上記のようにして、マスタリング装置１により露光が行われたディスク原盤１０は、現像されメッキが施されることによりスタンパーとして生成される。そして、上述もしたようにこのスタンパーを用いて樹脂基板上に情報を転写し、その上に反射膜を生成した後に必要なディスク形態に加工する等の処理を行うことで、本実施の形態としてのディスク５０を生成することができる。
【００６５】
なお、上記のようにして予めマスタリング装置１に対して設定されるべきディスク回転速度とキャリア周波数とについて、実際には、ディスク５０について予め策定されるデータ記録フォーマットによって、１トラックあたりに形成すべきセクタ数又はセクタ長等が或る程度制限されるものとなる。従って、これらディスク回転速度とキャリア周波数とは、実際にはこのような制限を満足する範囲で、上記のように１トラックがデータビット単位完結し、且つ隣接トラック間でｓｙｎｃが隣り合わないようにすることができる値が設定されればよいものである。
【００６６】
また、この場合はディスク５０として片側ウォブルのディスクを挙げて、マスタリング装置１ではレーザビームを２系統照射するものとしたが、当然のことながら両側ウォブルの場合は記録用のレーザビームとして１系統のみを照射する構成とされればよい。
つまり、本発明のマスタリング装置としては、これらの何れかの構成が採られることで、少なくとも記録トラックの一方の側壁に対してウォブルを形成することができるようにされていればよい。
【００６７】
ここで、これまでに説明してきた実施の形態では、ウォブルにより記録されるべき信号はＦＭ変調処理を施すものとしたが、コード変調の方式は特に限定されるものではなく、ウォブル信号として記録することのできるコード変調方式であれば他の方式が採用されてもよい。
また、実施の形態では、ディスク５０がＭＤとされる場合を例に挙げたが、他のディスク状記録媒体に対しても本発明は好適に適用することができる。
さらに、実施の形態では片側ウォブルによるディスク５０を例に挙げたが、もちろん図１０（ａ）に示したような両側ウォブルが採用される場合にも本発明は好適に適用することができる。
【図面の簡単な説明】
【００６８】
【図１】本発明における実施の形態としてのディスク状記録媒体において、記録トラックに対して記録されるデータの物理構造と、記録トラックのウォブルにより記録されるＡＤＩＰフレームの構造とを例示した図である。
【図２】実施の形態が採用するバイフェーズ変調方式について説明するための図である。
【図３】ＡＤＩＰフレームにおけるｓｙｎｃについて説明するための図である。
【図４】実施の形態の場合のＦＭ変調について説明するための図である。
【図５】バイフェーズ変調が施されたデータに基づくＦＭ変調信号のキャリアに対する位相状態について説明するための図である。
【図６】データビット単位で１トラックを完結した場合のトラック完結部分付近の様子を模式的に示した図である。
【図７】隣接トラック間でｓｙｎｃとデータ部分とが隣り合った場合の位相関係について説明するための図である。
【図８】実施の形態のディスク状記録媒体についての対クロストーク特性について示す特性図である。
【図９】本発明における実施の形態としてのマスタリング装置の構成例について示したブロック図である。
【図１０】ウォブリングされた記録トラックが形成される従来のディスク状記録媒体の例として、記録トラックの両側壁がウォブリングされる例と一方の側壁のみがウォブリングされる例とを示した図である。
【符号の説明】
【００６９】
１  マスタリング装置、２  アドレス情報信号源、３  付加変調回路、４  記録用レーザ、５  光偏向器、６  ミラー、７  対物レンズ、８  スピンドルサーボ回路、９  スピンドルモーター、１０  ディスク原盤、１１  コントローラ、１２  補助レーザ、１３  ビーム混合用光学素子、５０  ディスク
【図１】
2005259313.tif 000003
【図２】
2005259313.tif 000004
【図３】
2005259313.tif 000005
【図４】
2005259313.tif 000006
【図５】
2005259313.tif 000007
【図６】
2005259313.tif 000008
【図７】
2005259313.tif 000009
【図８】
2005259313.tif 000010
【図９】
2005259313.tif 000011
【図１０】
2005259313.tif 000012